(57)【要約】【課題】原稿台カバーを利用して画像を見やすく投影することのできる画像形成装置を提供する。【解決手段】画像形成装置は、作像した画像を出力する画像形成装置であって、読み取り対象となる原稿を載置する透明な原稿載置台と、画像形成装置本体に対しヒンジによって開閉可能に設けられ、原稿載置台に載置した原稿を押さえる原稿台カバーと、原稿を読み取る画像読取部と、読取部で読み取られた画像を記憶する記憶部と、記憶部に記憶された画像を、開かれた状態にある原稿台カバーの原稿を押さえる面に投影する投影部とを有する。【選択図】図７
2013066026.tif 000002
【特許請求の範囲】
【請求項１】
作像した画像を出力する画像形成装置であって、
読み取り対象となる原稿を載置する透明な原稿載置台と、
画像形成装置本体に対しヒンジによって開閉可能に設けられ、前記原稿載置台に載置した原稿を押さえる原稿台カバーと、
前記原稿を読み取る画像読取部と、
前記読取部で読み取られた画像を記憶する記憶部と、
前記記憶部に記憶された画像を、開かれた状態にある前記原稿台カバーの原稿を押さえる面に投影する投影部とを有する
ことを特徴とする画像形成装置。
【請求項２】
前記原稿載置台に対する前記原稿台カバーの開閉角度を検出する角度検出部と、
前記角度検出部による検出結果に応じて、前記原稿台カバーの原稿を押さえる面に投影される画像のゆがみを修正する投影画像調整部とを更に備える
ことを特徴とする請求項１に記載の画像形成装置。
【請求項３】
前記原稿台カバーを自動的に開閉する原稿台カバー駆動部と、
前記角度検出部により検出された複数の角度を、それぞれ所定の符号と対応付けて前記記憶部へ記憶させる角度登録手段と、
前記登録された複数の角度のうちの一つを呼出す角度呼出し手段とを更に備え、
前記原稿台カバー駆動部は、前記角度呼出し手段により呼出された角度となるように前記原稿台カバーを自動的に開閉する
ことを特徴とする請求項２に記載の画像形成装置。
【請求項４】
出力対象となる画像に対して印刷条件を設定する印刷条件設定手段を更に備え、
前記投影画像調整部は、前記印刷条件設定手段により設定された印刷条件を出力対象となる画像に適用したプレビュー画像を、前記原稿台カバーの原稿を押さえる面に投影される画像として生成する
ことを特徴とする請求項２又は３に記載の画像形成装置。
【請求項５】
前記投影部は、前記投影画像調整部により生成されたプレビュー画像を前記原稿台カバーの原稿を押さえる面に実物大で投影する
ことを特徴とする請求項４に記載の画像形成装置。
【請求項６】
前記投影画像調整部は、前記角度検出部により検出された角度又は前記印刷条件設定手段により設定された印刷条件が変更される度に、前記原稿台カバーの原稿を押さえる面に投影される画像を変更する
ことを特徴とする請求項４又は５のいずれか一項に記載の画像形成装置。
【請求項７】
表示部を有するコントロールパネルを更に備え、
前記記憶部は、前記コントロールパネルに関する画像を記憶しており、
前記投影部は、前記記憶部に記憶された前記コントロールパネルに関する画像を前記原稿を押さえる面に拡大して投影する
ことを特徴とする請求項１乃至６のいずれか一項に記載の画像形成装置。
【請求項８】
前記コントロールパネルは、
前記角度登録手段、前記角度呼出し手段、前記印刷条件設定手段を備える
ことを特徴とする請求項７に記載の画像形成装置。
【請求項９】
前記投影部は、前記原稿台カバーに対し前記原稿載置台を挟んで反対側の画像形成装置本体内部に配置されている
ことを特徴とする請求項１乃至８のいずれか一項に記載の画像形成装置。
【請求項１０】
前記投影部は、画像形成装置本体の上面に、前記原稿載置台に隣接して、前記原稿台カバーのヒンジが設置された側と対向する側に配置されている
ことを特徴とする請求項１乃至８のいずれか一項に記載の画像形成装置。
【請求項１１】
前記原稿台カバーは、原稿を自動で搬送する原稿自動搬送装置である
ことを特徴とする請求項１乃至１０のいずれか一項に記載の画像形成装置。
【発明の詳細な説明】
【技術分野】
【０００１】
本発明は、プリンター、コピー等、原稿を出力するための画像形成装置に関する。
【背景技術】
【０００２】
プリンター、コピー等、原稿を出力するための画像形成装置において、実際に出力される画像が必ずしも所望の結果と一致するとは限らず、ミスプリント、ミスコピーを生み出してしまう場合がある。例えば、コピーを作成する場合、印刷設定のミスで用紙と印刷対象となる画像が不一致となり、一部の内容がコピーできないなどのミスコピーを生じることがある。また、実際のコピー状態をコントロールパネルのプレビュー表示で確認することができる場合であっても、画面が小さいため印刷結果のイメージが異なる場合がある。
【０００３】
このようなミスコピーを防ぐものとして、特許文献１には、原稿台カバーの上面に表示部を有する画像形成装置が提案されている。これにより、実際のコピー状態を事前に確認することができるため、試しコピーをせずともミスコピーを防ぐことができることが記載されている。しかし、このように原稿台カバーの上面に表示部を有するものは、上から覗き込まなければならず、車いすのユーザーなどには利用しにくいものとなっていた。
【０００４】
一方、原稿台カバーの原稿を押さえる面に表示部を設け、コピー前に原稿画像と用紙を重ね合わせた実物大の画像を確認することができる画像形成装置が知られている。特許文献２の画像形成装置では、原稿を押さえる面に表示部を有することにより、上から覗き込む必要がなく、車いすのユーザーなど目線の低いユーザーでも事前にコピー原稿を確認することが可能となる。
【先行技術文献】
【特許文献】
【０００５】
【特許文献１】特開２００５−０９９１０１号公報
【特許文献２】特開２００８−１０７６５１号公報
【発明の概要】
【発明が解決しようとする課題】
【０００６】
しかし、特許文献２の画像形成装置では、車いすのユーザーは画像を確認する際に、原稿台カバーの上から覗き込む必要はないものの、下から覗き込む角度によっては液晶ディスプレイの反射により画面が確認しにくいという問題がある。また、今般の画像形成装置においては、連続通紙が可能な自動原稿搬送装置（Ａｕｔｏ  Ｄｏｃｕｍｅｎｔ  Ｆｅｅｄｅｒ：以下、「ＡＤＦ」という。）が原稿台カバーの代わりに設置されることが一般的であり、特許文献１や２のように原稿台カバーの上面や原稿を押さえる面に液晶ディスプレイを設けるとＡＤＦを設けることができないという制約が生じる。特に、特許文献２においては、原稿台カバーの裏面は原稿を適切にホールドするために可撓性があることが望まれるが、液晶ディスプレイを設けると、ディスプレイ面をフレキシブルにすることができず、ＡＤＦを装着できないだけでなく、原稿押さえとしての機能さえ十分に果たせない。
【課題を解決するための手段】
【０００７】
上記課題を解決するため、本発明に係る画像形成装置は、作像した画像を出力する画像形成装置であって、読み取り対象となる原稿を載置する透明な原稿載置台と、画像形成装置本体に対しヒンジによって開閉可能に設けられ、原稿載置台に載置した原稿を押さえる原稿台カバーと、原稿を読み取る画像読取部と、読取部で読み取られた画像を記憶する記憶部と、記憶部に記憶された画像を、開かれた状態にある原稿台カバーの原稿を押さえる面に投影する投影部とを有する。
【０００８】
これにより、通常の原稿台カバーの原稿を押さえる面をスクリーンとして画像を投影できるため、簡易に大きな画像を確認することができる。
【０００９】
また、本発明に係る画像形成装置は、原稿載置台に対する前記原稿台カバーの開閉角度を検出する角度検出部と、角度検出部による検出結果に応じて、原稿台カバーの原稿を押さえる面に投影される画像のゆがみを修正する投影画像調整部とを更に備えていてもよい。これにより、ゆがみのない画像を原稿を押さえる面に投影することができる。
【００１０】
また、本発明に係る画像形成装置は、原稿台カバーを自動的に開閉する原稿台カバー駆動部と、角度検出部により検出された複数の角度を、それぞれ所定の符号と対応付けて記憶部へ記憶させる角度登録手段と、登録された複数の角度のうちの一つを呼出す角度呼出し手段とを更に備え、原稿台カバー駆動部は、角度呼出し手段により呼出された角度となるように原稿台カバーを自動的に開閉するようにしても良い。これにより、所望の角度を登録しておき、その角度となるように原稿台カバーを自動的に開閉することができるため、便利である。
【００１１】
また、出力対象となる画像に対して印刷条件を設定する印刷条件設定手段を更に備え、投影画像調整部は、印刷条件設定手段により設定された印刷条件を出力対象となる画像に適用したプレビュー画像を、原稿台カバーの原稿を押さえる面に投影される画像として生成するようにしてもよい。テストプリントをしなくとも、プレビュー画像を確認してから印刷することができ、印刷ミスを防ぐことができる。
【００１２】
また、投影部は、投影画像調整部により生成されたプレビュー画像を前記原稿台カバーの原稿を押さえる面に実物大で投影するようにしてもよい。実物大でプレビュー画像を確認できるため、より確実に、実際にプリントされる画像の状態を把握することができる。
【００１３】
また、投影画像調整部は、角度検出部により検出された角度又は印刷条件設定手段により設定された印刷条件が変更される度に、原稿台カバーの原稿を押さえる面に投影される画像を変更するようにすることもできる。これにより、投影される画像を確認しながら、原稿台カバーの角度や印刷条件を変更することができ、利便性が高まる。
【００１４】
また、表示部を有するコントロールパネルを更に備え、記憶部は、前記コントロールパネルに関する画像を記憶しており、投影部は、記憶部に記憶された前記コントロールパネルに関する画像を原稿を押さえる面に拡大して投影するようにしてもよい。これにより、コントロールパネルの表示が小さくてみづらいと感じる場合に、大きく拡大して内容を確認することができる。
【００１５】
また、コントロールパネルは、角度登録手段、角度呼出し手段、印刷条件設定手段を備えるようにしても良い。
【００１６】
また、投影部は、原稿台カバーに対し前記原稿載置台を挟んで反対側の画像形成装置本体内部に配置されていても良い。または、投影部は、画像形成装置本体の上面に、原稿載置台に隣接して、原稿台カバーのヒンジが設置された側と対向する側に配置されていても良い。
【００１７】
更に、原稿台カバーは、原稿を自動で搬送する原稿自動搬送装置であっても良い。
【発明の効果】
【００１８】
本発明によれば、通常の原稿台カバーの原稿を押さえる面をスクリーンとして画像を投影することにより、簡易に大きなスクリーンで画像を確認することができる。また、原稿台カバーの開閉角度に合わせて画像を投影することにより、下から覗き込む車いすユーザーにとっても利便性が良い画像形成装置を提供することができる。
【図面の簡単な説明】
【００１９】
【図１】画像形成装置の概略構成を示す概略図である。
【図２】画像形成装置の機能ブロック図である。
【図３】ＡＤＦを開いた状態の画像形成装置の斜視図である。
【図４】投影部の概略図である。
【図５】ヒンジ結合部の概略図である。
【図６】ＡＤＦ自動開閉処理のフローチャートである。
【図７】プレビュー処理のフローチャートである。
【図８】角度登録処理のフローチャートである。
【図９】コントロールパネルで開閉角度タブを選択した場合の平面図である。
【図１０】コントロールパネルで印刷設定タブを選択した場合の平面図である。
【図１１】変形例にかかる投影部の配置を示す図である。
【発明を実施するための形態】
【００２０】
以下、図面を参照して本発明の実施の形態について説明する。
【００２１】
＜全体構成＞
図１は本発明に係る画像形成装置の一例を示す概略図である。図１の画像形成装置１は、電子写真方式の複写機である。
【００２２】
画像形成装置１は、本体２０と、本体２０に対してヒンジによって開閉可能に設けられ、原稿台カバーの役割をする自動原稿搬送装置３０（以下「ＡＤＦ３０」という）とから構成されている。
【００２３】
ＡＤＦ３０は、原稿台カバーと一体となって、本体２０の上部に装着されており、ＡＤＦ３０の上面に原稿台３２と排紙部３３が設けられている。原稿台３２に載置された原稿ＷＰは、複数のローラ等により構成される原稿搬送装置により読取位置に搬送され、画像形成装置２０の画像読取部１３で読み取られ、その後、排出経路Ｌを介して排紙部３３に排紙される。
【００２４】
図２（ａ）は、ＡＤＦ３０を本体２０に対して開いた状態の斜視図である。本体２０の上部には、上述のＡＤＦの読み取り位置に対向する位置に、スリット上のシートスルー用プラテンガラス２２が備えられ、シートスルー用プラテンガラス２２に並んで、ＡＤＦ３０の原稿を押さえる面３７と対向する位置に、透明な原稿載置台であるプラテンガラス２１が備えられている。ＡＤＦ３０に対しプラテンガラス２１を挟んで反対側の本体２０の内部スペースには投影部１７が配置されている。本実施の形態においては、図２（ｂ）に示すように、ＡＤＦ３０を開放した状態で、ＡＤＦ３０の原稿を押さえる面３７（以下、「投影面３７」ともいう）に、投影部１７から画像を投影する。投影部１７については後述する。
【００２５】
図１に戻って、本体２０の上部前面には、画像形成を行うための設定条件を入力するコントロールパネル１５が設けられている。コントロールパネル１５には、タッチパネル式の液晶表示装置により構成された表示部１５１、コピー枚数等の数値を入力するキーボード１５２、及び、ＡＤＦ３０の自動開閉ボタン１５３、読み込んだ画像を投影面３７に投影してからプリントを行うためのプレビューボタン１５４、コピー動作のためのコピーボタン１５５が設けられている。
【００２６】
本体２０の内部には、画像形成部１１、画像読取部１３、給排紙部１４、及び制御部１００が設けられている。
【００２７】
画像読取部１３は、光源ＬＴ、ミラーＭＲ１、ＭＲ２、ＭＲ３、結像レンズＬＺ等からなるスキャナと、ＣＣＤ（Ｃｈａｒｇｅ  Ｃｏｕｐｌｅｄ  Ｄｅｖｉｃｅ）イメージセンサーを含む電気回路からなる読取装置ＥＳとで構成されており、シートスルー方式とスキャナ移動方式との両方で原稿画像の読み取りが可能となるように構成されている。シートスルー方式の場合、ＡＤＦ３０により自動的に読取位置に搬送される原稿ＷＰの画像情報を、前述のスキャナを静止させた状態で、シートスルー用プラテンガラス２２を介して読取装置ＥＳのＣＣＤに結像させて読み取る。スキャナ移動方式の場合、プラテンガラス２１上に載置された原稿に対して前述のスキャナを移動させ、原稿からの反射光について、原稿読取位置から読取装置ＥＳのＣＣＤまでの光路長を常に一定に維持した状態でＣＣＤに結像させて読み取る。このようにして読み取られた画像情報は、制御部１００の画像処理部１５０においてデジタル信号としての画像データに変換され、圧縮されて、制御部１００の記憶部１８０に記憶される。
【００２８】
画像形成部１１は、前述の記憶部１８０に記憶された画像情報に基づく画像を感光体ドラム５上に形成し、転写材Ｐに転写する。モーター等の駆動源により予め設定された方向（矢印Ｙ）に回転する感光体ドラム５を中心として、その周りに矢印Ｙ方向に順に以下の部材が配置されている。感光体ドラム５を一様に帯電する帯電部６、原稿の画像情報に基づき感光体ドラム５に静電潜像を形成する露光光Ｅを発光する露光部（図示せず）、感光体ドラム５に形成された静電潜像をトナー像として顕像化する現像部７、感光体ドラム５に形成されたトナー像を転写材Ｐ等に転写する転写分離部８、トナー像が転写材Ｐ等に転写された後、感光体ドラム５に残留するトナーや紙粉等を掻き落とすためのクリーニング部９、及び、転写されたトナー像を転写材Ｐに溶融固着するための定着部１０が、感光体ドラム５の周りに配置されている。
【００２９】
給排紙部１４は、手差しトレイ２、給紙カセット１２、排紙トレイ３、及び複数の搬送ローラからなる搬送路１４４で構成されている。給紙カセット１２は、Ａ４サイズ用紙ＩＰを収納するカセット１２ａと、Ａ３サイズ用紙Ｐを収納するカセット１２ｂとからなり、異なるサイズの用紙を収容可能となっている。手差しトレイ２は、本体２０の側面に開閉可能に設けられており、特殊な用紙などを載置して搬送路１４４へ送り込むことができるようになっている。排紙トレイ３は、手差しトレイ２と反対側の本体２０の側面に設けられている。
【００３０】
このような画像形成部１１及び給排紙部１４において、回転駆動される感光体ドラム５の表面が帯電部６により所定の電位に帯電されると、露光光Ｅにより、画像情報に基づく静電潜像が感光体ドラム５上に形成される。現像部７がこの静電潜像にトナーを供給することにより、トナー画像が感光体ドラム５上に形成される。形成されたトナー画像は転写分離部８に搬送される。給排紙部１４の搬送ローラは、給紙カセット１２から用紙ＩＰ又はＰをピックアップし、画像形成部１１により形成された画像が転写装置８に搬送されるタイミングに合わせて、用紙ＩＰ又はＰを転写装置８まで搬送する。感光体ドラム５上に形成されたトナー画像は、転写分離部８まで搬送されてきた用紙ＩＰ又はＰに転写される。用紙ＩＰ又はＰは搬送ローラにより定着部１０まで搬送され、転写されたトナー画像は、定着部１０により熱と圧力を加えられ用紙ＩＰ又はＰに定着する。トナー画像が定着した用紙ＩＰ又はＰは、搬送ローラにより搬送され、排紙トレイ３に排出される。
【００３１】
＜制御部＞
図２は、画像形成装置１の機能ブロック図である。制御部１００は、ＡＤＦ３０、画像読取部１３、画像形成部１１、給排紙部１４、コントロールパネル１５、投影部１７と接続され、画像形成装置１全体の制御を行う。制御部１００は、主な構成要素として、ＣＰＵ１１０、駆動部１４０、画像処理部１５０、投影画像調整部１７０、記憶部１８０、ＲＡＭ（Ｒａｎｄｏｍ  Ａｃｃｅｓｓ  Ｍｅｍｏｒｙ）１９０を備えている。
【００３２】
駆動部１４０は、ＡＤＦ３０など各機能ブロックを駆動させるためのドライバＩＣであり、ＣＰＵ１１０からの指示に従い各機能ブロックを駆動する。
【００３３】
画像処理部１５０は、画像読取部１３から入力される画像信号に公知のシェーディング補正や階調補正などの各種処理を施して画像データを生成し、記憶部１８０に格納させる。
【００３４】
投影画像調整部１７０は、記憶部１８０に記憶された画像データに基づいて、投影面３７に投影する画像信号の調整を行う。画像信号の調整は、例えば輝度調整や色温度調整といった画質調整や、後述する台形補正処理などである。また、投影画像調整部１７０は、記憶部１８０に記憶された画像データに基づき、コントロールパネル１５から入力される印刷設定を反映させたプレビュー画像データを生成し、記憶部１８０に格納させる。
【００３５】
記憶部１８０は、ＨＤＤ（Ｈａｒｄ  Ｄｉｓｋ  Ｄｒｉｖｅ）や半導体などの不揮発性メモリ等により構成される。記憶部１８０には、画像処理部１５０で生成された画像データが記憶され、また画像形成に係る各種処理プログラム及びデータのほか、後述するユーザーにより登録されたＡＤＦ３０のプラテンガラス２１に対する開閉角度などが記憶されている。記憶部１８０に格納された画像データは、画像形成部１４に入力されてプリント処理に供され、又は投影部１７に入力されて投影面３７へ表示される。
【００３６】
ＲＡＭ１９０は、各種プログラムのワークエリアとして機能し、また、画像読取部１３から読み取った画像データや印刷ジョブデータを一時的に記憶する。
【００３７】
＜投影部＞
図３及び図４を参照して、投影部１７について説明する。投影部１７は、ＡＤＦ３０を開放した状態で、制御部１００（図２）の記憶部１８０に格納された画像データを投影面３７に投影する（図３（ｂ））。
【００３８】
図３に示す通り、投影部１７は、ＡＤＦ３０に対しプラテンガラス２１を挟んで反対側の本体２０の内部スペースに配置されている。投影部１７は、読取装置ＥＳのスキャナがプラテンガラス２１に載置された原稿画像を読み取るために移動する際、スキャナに干渉しないような位置に配置されており、ＡＤＦ３０と本体２０をつなぐヒンジ結合部３５側ではなく、本体２０正面側に近い位置に配置されている。
【００３９】
図４は投影部１７の概略図である。投影部１７は、投影面３７から遠い方から順に、照明光学系１７１と、液晶パネル（ＬＣＤ；Ｌｉｑｕｉｄ  Ｃｒｉｓｔａｌ  Ｄｉｏｄｅ）１７２と、投写光学系１７３と備えている。制御部１００（図２）の投影画像調整部１７０は、記憶部１８０に記憶された画像データに基づいて、液晶パネル１７２を駆動するための駆動信号を生成する。この駆動信号は、液晶パネル１７２に供給されて、液晶パネル１７２が有する各画素の透過光量の制御に使用される。照明光学系１７１が光を発すると、液晶パネル１７２を透過した光が、投写光学系１７３に照射される。投写光学系１７３は、液晶パネル１７２から照射された光を投影面３７に投写する。
【００４０】
＜ヒンジ結合部＞
次に、図５を参照して、ＡＤＦ３０のヒンジ結合部３５について説明する。
【００４１】
ヒンジ結合部３５は、図５に示すように、ＡＤＦ３０に固定される第１固定具３５１と、本体２０に固定される第２固定具３５２と、それら第１固定具３５１及び第２固定具３５２を連結するヒンジ軸３５３とを備え、ＡＤＦ３０と本体２０とを結合している。なお、ヒンジ結合部３５はヒンジ軸方向両端部にそれぞれ配置されている。
第１固定具３５１はヒンジ軸３５３に固定されており、ヒンジ軸３５３が回転するとそれに連動して第１固定具３５１もヒンジ軸３５３を回転軸として回動する。第１固定具３５１が回動すると第１固定具３５１が固定されているＡＤＦ３０もヒンジ軸３５３を回転軸として回動するため、その結果、ＡＤＦ３０が本体２０に対して開閉する。
ヒンジ結合部３５には、開閉角度検出センサー３６５が備えられている。開閉角度検出センサー３６５は、ヒンジ軸３５３の回転角度を電圧に変換するロータリー型の可変抵抗器であって、ＡＤＦ３０の開閉角度が変更されると、可変抵抗器の抵抗値が変更される。これにより、角度検出部として、プラテンガラス２１に対するＡＤＦ３０の開閉角度を検出する。
【００４２】
ＡＤＦ３０は、ヒンジ結合部３５に設けられた開閉モーター３６１により自動開閉される。開閉モーター３６１は、正逆方向に所定回転速度で回転するステッピングモーターであって、開閉モーター３６１の回転駆動力は図示しない伝達ギアによりヒンジ軸３５３に伝達される。なお、開閉モーター３６１は、一方のヒンジ結合部３５にのみ内蔵されていても良いし、両方のヒンジ結合部３５にそれぞれ内蔵されていても良い。
【００４３】
制御部１００は、開閉角度検出センサー３６５の出力をフィードバックしながら開閉モーター３６１を正逆回転させ、ＡＤＦ３０が所定の角度で開放されるようにモーター３６１を制御する。
【００４４】
＜ＡＤＦ自動開閉＞
図９（ａ）乃至（ｃ）は、コントロールパネル１５の平面図である。本実施の形態においては、コントロールパネル１５の自動開閉ボタン１５３を押すことにより、ＡＤＦ３０が自動開閉される。また、ＡＤＦ３０のプラテンガラス２１に対する角度をあらかじめユーザーが登録しておくことにより、ワンタッチで、ＡＤＦ３０をプラテンガラス２１に対して所望の角度となるように自動開放することができる。
【００４５】
例えば、ユーザーがＡＤＦ３０を閉じた状態で、自動開閉ボタン１５３を押すと、ＡＤＦ３０を開く旨の操作情報が制御部１００に入力され、ＡＤＦ３０が自動的に開放される。この時、コントロールパネル１５で登録された角度を選択してから自動開閉ボタン１５３を押すと、ワンタッチでその角度となるようにＡＤＦ３０が自動開放される。
【００４６】
このように登録された角度になるようにＡＤＦ３０が自動開放される処理について以下に説明する。
【００４７】
図９（ａ）乃至（ｃ）は、タッチパネル式の表示部１５１において、開閉角度タブ１５１２が選択された状態を示している。開閉角度タブ１５１２において角度呼出しキー１５１２ｂを押すと、図９（ｂ）に示すような、角度呼出し画面が表示される。角度呼出し画面には、角度表示・入力部１５１２ｄ、登録番号選択表示１５１２ｅ、登録番号１５１２ｆ、及びキャンセルキー１５１２ｇが表示されている。ここでは、所定の角度が登録されている登録番号として、「１」、「２」が選択可能に表示されており、その他の番号はグレーアウトされ選択できないようになっている。ここで、コントロールパネル１５において、開閉角度タブ１５１２を選択し、角度呼出しキー１５１２ｂを押して登録番号１５１２ｆの選択がなされた上で、自動開閉ボタン１５３を押すと、選択された登録番号に対応付けられて記憶部１８０に記憶されている角度となるように、ＡＤＦ３０が自動開放される。
【００４８】
図６は、制御部１００が実行する、ＡＤＦ３０の自動開閉処理を説明したフローチャートである。
【００４９】
ステップＳ１０１において、コントロールパネル１５からの入力により、開閉角度タブ１５１２が選択されたか否かを判断する。開閉角度タブが選択されていれば（ステップＳ１０１でＹｅｓ）ステップＳ１０２へ進み、図９（ａ）の開閉角度画面を表示し、ステップＳ１０３へ進む。ステップＳ１０１において、開閉角度タブが選択されていなければ（ステップＳ１０１でＮｏ）そのままステップＳ１０３へ進む。
【００５０】
ステップＳ１０３において、コントロールパネル１５からの入力により、角度呼出しキー１５１２ｂがＯＮされたか否かを判断する。角度呼出しキー１５１２ｂがＯＮされていれば（ステップＳ１０３でＹｅｓ）、ステップＳ１０４へ進み、図９（ｂ）の角度呼出し画面を表示する。そして、ステップＳ１０５へ進む。ステップＳ１０３において、角度呼出しキー１５１２ｂがＯＮされていなければ（ステップＳ１０３でＮｏ）そのままステップＳ１０５へ進む。
【００５１】
ステップＳ１０５において、角度表示・入力部１５１２ｄに所定の角度の入力がなされたか、又は登録番号１５１２ｆのいずれかの選択があったか否かを判断する。あったと判断すると（ステップＳ１０５でＹｅｓ）ステップＳ１０６へ進み、入力又は選択により指定された角度を記憶部１８０に記憶する（角度Ａ）。そしてステップＳ１０７へ進む。ステップＳ１０５において、角度表示・入力部１５１２ｄに所定の角度の入力がなされなかった場合（ステップＳ１０５でＮｏ）ステップＳ１０７へ進む。この場合、ステップＳ１０６における開閉角度の設定を行わないので、記憶部１８０において、角度Ａは、初期値の９０°となっている。
【００５２】
ステップＳ１０７において、自動開閉ボタン１５３がＯＮされたか否かを判断する。ＯＮされていなければ（ステップＳ１０７でＮｏ）処理を終了し、ＯＮされていれば（ステップＳ１０７でＹｅｓ）ステップＳ１０８へ進む。
【００５３】
ステップＳ１０８において、ＡＤＦ３０の角度を開閉角度検出センサー３６５の出力により判断し、記憶部１８０に記憶された角度Ａより大きいか否かを判断する。ステップＳ１０８でＡＤＦ３０の角度が記憶された角度Ａより大きくないと判断すると（ステップＳ１０８でＮｏ）、ステップＳ１０９へ進み、ＡＤＦを開く処理を行う。すなわち、ステップＳ１０９においてＡＤＦを開放するように開閉モーター３６１を正転させ、ステップＳ１１０へ進む。ステップＳ１１０において、開閉角度検出センサー３６５の出力によりＡＤＦ３０の角度が記憶部１８０に記憶された角度Ａに達したか否かを判断する。角度Ａより小さい場合は（ステップＳ１１０でＮｏ）ステップＳ１０９へ戻り、開閉モーター３６１の駆動制御を続ける。ＡＤＦ３０の角度が角度Ａと等しい又はそれより大きくなったことを検知すると（ステップＳ１１０でＹｅｓ）ステップＳ１１１へ進み、開閉モーター３６１を停止させて処理を終了する。これにより、所定の角度ＡにＡＤＦが自動開放される。
【００５４】
一方、ステップＳ１０８でＡＤＦ３０の角度が角度Ａより大きいと判断すると（ステップＳ１０８でＹｅｓ）、ステップＳ１１２へ進み、ＡＤＦを閉じる処理を行う。すなわり、ステップＳ１１２においてＡＤＦを閉鎖するように開閉モーター３６１を逆転させ、ステップＳ１１３へ進む。ステップＳ１１３において、開閉角度検出センサー３６５の出力によりＡＤＦ３０の角度が記憶部１８０に記憶された角度Ａに達したか否かを判断する。角度Ａより大きい場合は（ステップＳ１１３でＮｏ）ステップＳ１１２へ戻り、開閉モーター３６１の駆動制御を続ける。ＡＤＦ３０の角度が角度Ａと等しい又はそれより小さくなったことを検知すると（ステップＳ１１３でＹｅｓ）ステップＳ１１１へ進み、開閉モーター３６１を停止させて処理を終了する。これにより、ＡＤＦが所望の角度まで自動閉鎖される。
【００５５】
このように、ＡＤＦ３０のプラテンガラス２１に対する所望の開閉角度を登録しておけば、角度呼出しキーでその角度をすぐに呼出し、所望の角度となるようにＡＤＦ３０を自動的に開放することができるので、大変便利である。
【００５６】
＜プレビュー処理＞
次に、ＡＤＦ３０の投影面３７にプレビュー画像を投影し、ユーザーがプレビュー画像を確認してから印刷を実行することのできる、プレビュー処理について説明する。なお、プレビュー画像とは、制御部１００の記憶部１８０に記憶されている画像データについて、印刷設定を反映させた画像をいう。
【００５７】
図１０（ａ）及び（ｂ）はコントロールパネル１５の平面図である。タッチパネル式の表示部１５１において、印刷設定タブ１５１１が選択されている。印刷設定タブ１５１１には、用紙や倍率等を設定するための印刷条件設定手段である印刷設定キー１５１１ａが示されている。ユーザーは、印刷設定キー１５１１ａにより、用紙の選択、印刷倍率の設定、印刷濃度の設定、集約印刷（Ｎ枚の原稿を１枚に縮小して収めるＮｉｎ１集約など）の設定を行うことができる。例えば、ユーザーがコントロールパネル１５において、Ａ４用紙を選択し、２ｉｎ１の集約印刷設定を行い、ＡＤＦ３０に複数枚の原稿を載置してコントロールパネル１５のプレビューボタン１５４を押すと、原稿が搬送されて画像読取部１３により読み取られる。すると、ＡＤＦ３０が自動的に開いて、ＡＤＦ３０の原稿を押さえる面である投影面３７に、読み取られた原稿が実際に印刷されるような、例えば２ｉｎ１に集約された状態でＡ４サイズにて投影される。ユーザーは投影されたプレビュー画像を確認しながら、印刷設定の変更を行うことができる。２ｉｎ１に集約されたプレビュー画像が表示された状態で、コントロールパネル１５において集約印刷設定を解除し、Ａ３の用紙に拡大して印刷するよう設定すると、記憶部１８０に記憶されている画像データについて、新しい印刷設定が反映されたプレビュー画像が生成され、投影面３７にＡ３に拡大された実物大の画像が投影される。この状態で印刷する場合は、コピーボタン１５５を押すと、Ａ３用紙に拡大された画像が印刷される。
【００５８】
図７は、制御部１００が実行するプレビュー処理を説明するフローチャートである。プレビュー処理とは、制御部１００によって行われる処理であって、画像を読み込み、読み込んだ画像に印刷設定を反映させたプレビュー画像を投影し、投影されたプレビュー画像通りに印刷を行うという処理である。
【００５９】
ステップＳ２０１では、コントロールパネル１５において、印刷設定タブ１５１１が選択されたか否かを判断する。選択されていると判断すれば（ステップＳ２０１でＹｅｓ）ステップＳ２０２へ進み、図１０（ａ）の印刷設定画面を表示して、ステップＳ２０３へ進む。ステップＳ２０１において印刷設定タブ１５１１が選択されていないと判断すれば（ステップＳ２０１でＮｏ）ステップＳ２０３へ進む。
【００６０】
ステップＳ２０３では、プレビューボタンがＯＮされたか否かが判断される。プレビューボタンがＯＮされていなければ（ステップＳ２０３でＮｏ）処理を終了する。プレビューボタンがＯＮされていれば（ステップＳ２０３でＹｅｓ）ステップＳ２０４へ進み、画像の読み込みを行う。画像の読み込みは、ここでは、ＡＤＦ３０の原稿台３２上に載置された原稿を搬送しながら読み取り部１３で読取ることにより行い、読み取った画像データは記憶部１８０に記憶される。
【００６１】
次にステップＳ２０５へ進み、ＡＤＦ３０の角度がＡであるか否かを判断する。ＡＤＦ３０の角度は、ヒンジ結合部３５に備えられた開閉角度検出センサー３６５の出力により判断する。ＡＤＦ３０の角度がＡでなければ（ステップＳ２０５でＮｏ）、ステップＳ２０６へ進み、ＡＤＦ３０を角度Ａとなるように開放して、ステップＳ２０５へ戻る。Ｓ２０５におけるＡＤＦの自動開放処理については、前述のステップＳ１０９〜Ｓ１１１（図６）の処理と同じであるので、ここでは説明を省略する。
【００６２】
ステップＳ２０５でＡＤＦ３０の角度がＡであると判断すると（ステップＳ２０５でＹｅｓ）、ステップＳ２０７へ進む。
【００６３】
ステップＳ２０７では、コントロールパネル１５で印刷設定キー１５１１ａがＯＮされたか否かを判断する。印刷設定キー１５１１ａがＯＮされていれば（ステップＳ２０７でＹｅｓ）、ステップＳ２０８へ進みコントロールパネル１５でユーザーにより指定された、用紙のサイズ、倍率、濃度、集約の有無などの印刷設定を記憶部１８０に記憶する。印刷設定キー１５１１ａがＯＮされていなければ（ステップＳ２０７でＮｏ）ステップＳ２０９へ進む。この場合、記憶部１８０には印刷の初期設定（例えば、サイズＡ４、等倍、基準濃度、集約なし）が記憶されている。
【００６４】
ステップＳ２０９において、開閉角度検出センサー３６５の出力からプラテンガラス２１に対するＡＤＦ３０の開閉角度が検出され、検出された角度を角度Ａとして記憶部１８０に記憶させる。次にステップＳ２１０に進む。
【００６５】
ステップＳ２１０では、記憶部１８０に記憶された印刷設定を読み込み、ステップＳ２１１へ進む。
【００６６】
ステップＳ２１１では、投影画像調整部１７０により、記憶部１８０に記憶された画像データに対し、印刷設定を反映させたプレビュー画像データが生成される。投影画像調整部１７０は、また、記憶されたＡＤＦ３０の開閉角度Ａに応じて、プレビュー画像の台形補正を行うと共に、輝度や色温度などの画質調整を行う。台形補正については後述する。次にステップＳ２１２へ進む。
【００６７】
ステップＳ２１２において、投影画像調整部１７０により調整された１ページ目のプレビュー画像データを、投影部１７により実物大で投影面３７へ投影させ、ステップＳ２１３へ進む。
【００６８】
ステップＳ２１３では、図１０（ｂ）に示すように、コントロールパネル１５の表示部１５１に、「この設定で印刷しますか？」という確認表示１５１１ｂと、ＯＫキー１５１１ｃ及びキャンセルキー１５１１ｄを表示し、ステップＳ２１４へ進む。
【００６９】
ステップＳ２１４では、ＯＫキー１５１１ｃが押されたか否かを判断する。ＯＫキー１１５１ｃが押されていれば（ステップＳ２１４でＹｅｓ）、ステップＳ２１５へ進み、次ページが読み込まれているか否かを記憶部１８０に記憶された画像データにより判断する。次ページがあれば（ステップＳ２１５でＹｅｓ）、ステップＳ２１６へ進み、ページ数をカウントアップ（Ｎ＋１）して、ステップＳ２０５へ戻る。なお、ページ数Ｎは初期値「１」が最初に設定されている。
【００７０】
ステップＳ２１５で次ページがないと判断されれば（ステップＳ２１５でＮｏ）、ステップＳ２１７へ進み、画像データを先ほど表示したプレビュー画像の通りの設定でプリント出力する。次に、ステップＳ２１８へ進み、ページ数Ｎを初期値にリセット（Ｎ＝１）して処理を終了する。
【００７１】
さて、ステップＳ２１４においてＯＫキー１５１１ｃが押されていなければ（ステップＳ２１４でＮｏ）、ステップＳ２２０へ進む。ステップＳ２２０では、コピーボタン１５５が押されたか否かを判断する。コピーボタン１５５が押されていれば（ステップＳ２２０でＹｅｓ）、前述の通りステップＳ２１７で原稿をプリントし、ステップＳ２１８でページ数Ｎをリセット（Ｎ＝１）して処理を終了する。
【００７２】
ステップＳ２２０において、コピーボタン１５５が押されていなければ（ステップＳ２２０でＮｏ）、ステップＳ２２１へ進み、ジョブのキャンセルがなされたか否かを判断する。すなわち、ユーザーがキャンセルキー１５１１ｄを押してプリントジョブのキャンセルを行ったかどうかを判断する。キャンセルがなされていれば（ステップＳ２２１でＹｅｓ）、ステップＳ２１８へ進み、ページ数Ｎをリセット（Ｎ＝１）して処理を終了する。
【００７３】
ステップ２２１においてキャンセルキー１５１１ｄが押されていなければ（ステップ２２１でＮｏ）、ステップＳ２０５へ戻る。
【００７４】
このように、原稿台カバーの原稿を押さえる面３７に、実物大のプレビュー画像を表示することができるため、ユーザーは、プレビュー画像を確認してから実際の印刷を実行することができ、試しコピーを取る必要がない。これにより、ミスコピーを防ぐことができる。
【００７５】
また、表示を確認しながら印刷設定の変更を行い、又はＡＤＦ３０の開放角度を変更を行ったとしても、各変更を反映したプレビュー画像がすぐに投影されるので、大変使い勝手が良い。
【００７６】
なお、この実施の形態では、ＡＤＦ３０に原稿を載置して読み取ってからプレビュー処理を行う例を説明したが、プラテンガラス２１に原稿を載置して読み取っても良い。この場合、プラテンガラス２１上に原稿を残したままだと、投影部１７から投影される画像が原稿によってけられてしまうので、原稿を取り除く必要がある。
【００７７】
また、プレビュー画像は実物大の画像としたが、これに限られず、拡大して表示できるようにしても良い。
【００７８】
＜角度登録処理＞
次に、ＡＤＦ３０のプラテンガラス２１に対する開閉角度を登録する、角度登録処理について説明する。角度登録処理は、制御部１００によって実行される処理であり、ＡＤＦ３０のプラテンガラス２１の角度を検出し、検出した角度を所定の符号と対応付けて記憶部１８０に記憶させる処理である。例えば目線の低いユーザーが、ちょうど見やすい位置となるようにＡＤＦ３０の角度を傾けて、その角度を符号と対応付けて登録しておくことができ、その後、いつでもワンタッチで登録した角度を呼出し、ＡＤＦ３０をその角度となるように自動開放することができる。
【００７９】
ユーザーが、コントロールパネル１５で開閉角度タブ１５１２を選択し、角度登録キー１５１２ａを押すと、図９（ｃ）のような角度登録画面が表示される。角度登録画面には、現在のＡＤＦ３０の開閉角度を表示する角度表示・入力部１５１２ｄ、この角度を所定の符号である番号に対応付けて登録するための登録番号１５１２ｆ、「登録番号を選んで下さい」という表示である登録番号選択表示１５１２ｅ、及び角度登録処理をキャンセルするためのキャンセルキー１５１２ｇが表示される。登録番号１５１２ｆの内、既に所定の角度が登録され使用されている登録番号は選択できないよう、グレーアウトされている。この例では、登録番号１５１２ｆのうち、「１」と「２」は既に使用されているので、「３」〜「９」の任意の番号が選択可能である。所望の角度となるようＡＤＦ３０を開放して「３」〜「９」のいずれかを選択すると、選択した番号に対応付けて、現在のＡＤＦ３０の開閉角度を登録することができる。
【００８０】
図８は、制御部１００が実行する角度登録処理を示したものである。
【００８１】
ステップＳ３０１において、コントロールパネル１５で開閉角度タブ１５１２が選択されたか否かを判断する。開閉角度タブ１５１２が選択されていれば（ステップＳ３０１でＹｅｓ）ステップＳ３０２へ進み、開閉角度画面（図９（ａ））を表示して、ステップＳ３０３へ進む。開閉角度タブ１５１２が選択されていなければ（ステップＳ３０１でＮｏ）そのままステップＳ３０３へ進む。
【００８２】
ステップＳ３０３において角度登録キー１５１２ａがＯＮされたか否かを判断する。角度登録キー１５１２ａがＯＮされていなければ（ステップＳ３０３でＮｏ）処理を終了する。
【００８３】
ステップＳ３０３において角度登録キー１５１２ａがＯＮされていると判断すれば（ステップＳ３０３でＹｅｓ）、ステップＳ３０４へ進み、角度登録画面（図９（ｃ））を表示する。
【００８４】
ステップＳ３０５へ進み、開閉角度検出センサー３６５の出力からプラテンガラス２１に対するＡＤＦ３０の開閉角度を検出する。次にステップＳ３０６へ進み、検出した角度を、角度表示・入力部１５１２ｄへ表示して、ステップＳ３０７へ進む。
【００８５】
ステップＳ３０７では、登録番号１５１２ｆのいずれかが選択されたか否かを判断する。いずれかの番号が選択されていれば（ステップＳ３０７でＹｅｓ）ステップＳ３０８へ進み、選択された登録番号と、角度表示・入力部１５１２ｄへ表示されている角度とを対応付けて記憶部１８０へ記憶する。
【００８６】
ステップＳ３０７で登録番号１５１２ｆのいずれも選択されていないと判断されれば（ステップＳ３０７でＮｏ）、ステップＳ３０９へ進み、キャンセルキー１５１２ｇがＯＮされたか否かを判断する。
【００８７】
ステップＳ３０９でキャンセルキー１５１２ｇがＯＮされていないと判断されれば（ステップＳ３０９でＮｏ）ステップＳ３０５へ戻る。キャンセルキー１５１２ｇがＯＮされたと判断されれば（ステップＳ３０９でＹｅｓ）処理を終了する。
【００８８】
このように、プラテンガラス２１に対するＡＤＦ３０の任意の角度を登録番号に対応付けて登録することができるため、いつでもワンタッチで所望の角度を呼出してＡＤＦを自動開放することができる。
【００８９】
以上、ＡＤＦ自動開放処理、プレビュー処理、角度登録処理を個々に説明したが、これらの処理は個別に実行されるだけでなく、一連の処理として実行することもできる。例えば、ＡＤＦの自動開放処理を行ってからプレビュー処理を行ったり、プレビュー画像を見ながら角度登録処理を行うことも可能である。
【００９０】
＜投影画像の台形補正＞
次に、投影画像調整部１７０が実行する投影面３７の傾斜角度に応じた投影画像の台形補正について説明する。台形補正とは、投影面３７が投影部１７の光軸に対して正対しないために生ずる台形のゆがみを補正するための処理である。
【００９１】
投影部１７は本体２０の内部にプラテンガラス２１を挟んでＡＤＦ３０の反対側に固定配置されており、ＡＤＦ３０の開閉角度によって、投影部１７の光軸に対する投影面３７の傾きが異なってくる。そこで、制御部１００は、ＡＤＦ３０の開閉角度検出センサー１６５からの入力信号によりＡＤＦ３０の開閉角度を検出すると、投影部１７の光軸と投影面３７との角度を算出し、この算出結果に基づき投影面３７上の台形ゆがみの形状を演算処理する。投影画像調整部１７０は、投影面３７上の台形ゆがみとは逆の台形ゆがみの形状となるようなプレビュー画像データを生成する。この逆の台形ゆがみとなった画像データが液晶パネル１７２に表示され、この画像が投影面３７に投射されると、台形ゆがみのない画像が投影面３７に表示される。
【００９２】
このように、投影面３７の角度に応じて台形補正がなされた画像が投影されるので、投影面３７をどのような角度としても実物大のプレビュー画像を確認することができる。
【００９３】
＜変形例＞
以上、本発明の実施の形態について説明したが、本発明は、かかる実施の形態に限られないことはいうまでもない。
【００９４】
画像形成装置は、モノクロ複写機に限られず、カラー複写機でも良く、もちろん、複写機機能に加えてプリンターや、スキャナなどの複合的な機能を有する複合機であっても良い。
【００９５】
投影面は、ＡＤＦ３０の原稿を押さえる面３７である場合に限られず、ＡＤＦ３０を有しない原稿台カバーの原稿を押さえる面であっても構わない。
【００９６】
投影部の配置は、画像形成装置の本体に内蔵される形式に限られない。例えば、図１１の画像形成装置１００では、投影部１７００が、原稿台カバー３００のヒンジ部３５０と対向して、本体２００の上面に、プラテンガラス２１０に隣接して配置されている。投影部の配置は、原稿台カバーの原稿を押さえる面に画像を投影できる位置であればよい。
【００９７】
台形補正は、投影面３７上の台形ゆがみの形状を演算処理する方法に限られない。予め制御部１００の記憶部１８０に、複数のＡＤＦ３０開閉角度と、各開閉角度（投影面３７の傾斜角度）に応じた画像修正値を対応付けた修正テーブルを備えておき、ＡＤＦ３０の開閉角度により、対応する修正値を用いてプレビュー画像データを生成するようにしてもよい。また、ＬＣＤ１７２の画像は補正せず、投影部の投影光学系１７３の角度を制御することにより、光学的に補正するようにしてもよい。
【００９８】
投影する画像は、これから印刷する画像の実物大表示に限られず、例えばコントロールパネル１５の表示部１５１に表示されているメニュー画面を拡大して投影するようにしても良い。この場合、前述のプレビュー処理において、コントロールパネル１５の表示部１５１に表示されている表示画像を記憶部１８０に記憶させ、記憶させた表示画像について、投影画像調整部１７０にてＡＤＦ３０の開閉角度に応じた台形補正等を行って、投影部１７により拡大して投影面３７に投影させればよい。これにより、広い投影面３７を利用してメニュー画面を拡大表示できるので、車いすユーザーのように目線の低いユーザーだけでなく、コントロールパネル１５の表示部１５１が小さくて見づらいと感じるユーザーなどにとっても、利便性を高めることができる。
【符号の説明】
【００９９】
１  画像形成装置
１３  画像読取部
１５  コントロールパネル
１７  投影部
２１  プラテンガラス
３０  自動原稿搬送装置（ＡＤＦ）
３５  ヒンジ結合部
３７  原稿を押さえる面（投影面）
３６１  開閉モーター
３６５  開閉角度検出センサー
１７０  投影画像調整部
１８０  記憶部
１５１  表示部
１５３  自動開閉ボタン
１５４  プレビューボタン
１５５  コピーボタン
１５１１  印刷設定タブ
１５１１ａ  印刷設定キー
１５１２  開閉角度タブ１５１２
１５１２ａ  角度登録キー
１５１２ｂ  角度呼出しキー
【図１】
2013066026.tif 000003
【図２】
2013066026.tif 000004
【図３】
2013066026.tif 000005
【図４】
2013066026.tif 000006
【図５】
2013066026.tif 000007
【図６】
2013066026.tif 000008
【図７】
2013066026.tif 000009
【図８】
2013066026.tif 000010
【図９】
2013066026.tif 000011
【図１０】
2013066026.tif 000012
【図１１】
2013066026.tif 000013